(57)【要約】【課題】操作性、安全性、機能性に優れた手動型の入浴補助装置を提供する。【解決手段】脚部に立設される支柱に対して昇降可能なる昇降部材を設け、該昇降部材上方に、操作ハンドルを有するチェーン昇降機構を設けるとともに該チェーン昇降機構から垂下するチェーンを昇降部材適所に取り付け、適宜支持部材を介して背板と座板を昇降部材に所定範囲内にて回動可能に取り付け、座板下方に脚板を適宜支持部材にて座板に対し移動可能に設け、脚部前方下面に回動体を、座板支持部材および脚板支持部材に接触可能に設けることにより、ハンドル操作にて背板と座板を昇降させ、かつ背板と座板の角度変更と脚板の角度変更および前後位置変更が可能となるよう構成したことを特徴とする。【選択図】図１４
2007319653.tif 000002
【特許請求の範囲】
【請求項１】
脚部に立設される支柱に対して昇降可能なる昇降部材を設け、該昇降部材上方に、操作ハンドルを有するチェーン昇降機構を設けるとともに該チェーン昇降機構から垂下するチェーンを昇降部材適所に取り付け、適宜支持部材を介して背板と座板を昇降部材に所定範囲内にて回動可能に取り付け、座板下方に脚板を適宜支持部材にて座板に対し移動可能に設け、脚部前方下面に回動体を、座板支持部材および脚板支持部材に接触可能に設けることにより、ハンドル操作にて背板と座板を昇降させ、かつ背板と座板の角度変更と脚板の角度変更および前後位置変更が可能となるよう構成したことを特徴とする手動型入浴補助装置。
【発明の詳細な説明】
【技術分野】
【０００１】  この発明は、老人や身障者など体の不自由な人の浴槽への出入りおよび入浴を補助する為の装置に関する。
【背景技術】
【０００２】  従来より、老人や身障者など体が不自由で介護を必要とする人を入浴させる場合、浴槽への出入り時に介護者の労力を軽減させ、かつ容易に入浴させる為の装置がある。
この装置は水圧又は電動により駆動するものが一般的であり、本発明にて示すように、手動巻き上げ装置を利用して人力にて昇降させるとともに入浴者の姿勢変更可能なものは見当たらない。
【発明の開示】
【発明が解決しようとする課題】
【０００３】  従来の装置は前記したように、水圧もしくは電動によるものであり、螺旋シヤフトを回転させたり、チェーンやワイヤー等の組み合わせによる方式、あるいは油圧ポンプにより油圧シリンダーの伸縮を利用するものである。しかし、これら従来の機器では、電気工事、水道工事、バッテリーの充電等が必要であり、機械的故障や油もれ等の不具合が発生しやすい。また既存の浴槽を改造して浴槽の下部に設置するものもあるが、取付け費用が高額となり、構造も複雑なために維持管理にかかる手間と費用がかさむという問題がある。
本発明は、以上のような従来からの入浴補助手段に関わる課題を解決する為に発明されたもので、介助者の人力を利用して、使用者の乗る座板を昇降させるとともに使用者の姿勢制御を可能とした新規なる装置を提供する事を目的としたものである。
【課題を解決するための手段】
【０００４】  課題を解決する手段として本発明は、以下の構成とした。
すなわち、脚部に立設される支柱に対して昇降可能なる昇降部材を設け、該昇降部材上方に、操作ハンドルを有するチェーン昇降機構を設けるとともに該チェーン昇降機構から垂下するチェーンを昇降部材適所に取り付け、適宜支持部材を介して背板と座板を昇降部材に所定範囲内にて回動可能に取り付け、座板下方に脚板を適宜支持部材にて座板に対し移動可能に設け、脚部前方下面に回動体を、座板支持部材および脚板支持部材に接触可能に設けることにより、ハンドル操作にて背板と座板を昇降させ、かつ背板と座板の角度変更と脚板の角度変更および前後位置変更が可能となるよう構成する。
本発明は以上の構成よりなる手動型入浴補助装置である。
【発明の効果】
【０００５】  本発明によれば、シンプルな手動式の構成による入浴補助機構のため、既存の他の方式に比べて低コストでの製作が可能であるとともに、不具合発生頻度が少なく、その維持コストが低いという利点がある。また、座板昇降位置の選択にて脚板を前方に移動させ、かつ座板および背板の角度変更が可能なため、全身浴や半身浴の選択ができ、使用者の姿勢安定が得られて安心して入浴させることのできる有用なる入浴補助装置を提供することができる。
【発明を実施するための最良の形態】
【０００６】  以下、本発明の実施例について説明する。
図において、１は金属性の中空角体を略井桁状に固着してなる脚部で、その四隅下方には市販のキャスター２が設けられる。３は支柱で、脚部後面に２本平行にかつやや後方に傾斜させて固着立設される金属性中空角体であり、支柱上端には筒体が双方の支柱に接して固着される。４は昇降部材としてのスライダーで、中空角体を接合して形成され、４個のローラーが軸支されている。
このスライダーは、平行に位置する２本の中空角体５内にローラー６が各々軸支され、また、該中空角体の上下部近傍内部にはガイドピン７が対向して位置する。この中空角体内に前記支柱が位置し、図８にて示すように支柱に対しやや傾斜して中空角体が位置するとともに、各ローラーおよびガイドピンが支柱に接しており、スライダーは支柱に沿って昇降が可能である。８は座板フレームストッパーで、スライダー前方下部に固着される中空角体で、やや外方にその端部が張り出して位置する。９は有孔の突片で、スライダー上部両側に突設される。
支柱上部には適宜支持部材にてラチェット機能を有する市販のチェーン昇降機構（図示略）がカバー１０内に設けられる。このチェーン昇降機構より垂下するチェーン１１は前記スライダー適所に取り付けられ、チェーン昇降機構には昇降ハンドル１２が備えられ、チェーン昇降機構に備わっているレバーの位置選択にてハンドルの左右反復運動またはハンドル回転にてチェーンを巻き上げあるいは降下させるよう構成されている。従って、ハンドル操作にてスライダーの安定昇降が可能である。【０００７】  １３は手押し部で、支柱上縁近傍両側に突設され、その下部に補強のための管体が位置し、この管体は脚部近傍後方に架設される管体上面に立設されている。１４は座板フレームで、その上部近傍後部には有孔の突片１５が突設される。
この突片１５と突片９は図１１のごとく重ね合わされて軸支される。また、この座板フレーム後面は前記の座板フレームストッパー８に自重にて押圧接触して座板フレームの位置が定まる。１６は平面視Ｕ形の合成樹脂板による座板で、座板フレーム上面に取り付けられる。１７は上部背板、１８は下部背板で、互いに蝶番にて接続されるとともに、座板フレーム上部に取り付けられる。１９は一対のアームで、湾曲管体にて形成され、その上端には短管２０が固着される。また、前記座板フレーム上端には切除部２１を有する短管２２が突設される。短管２０内面適所には突片２３が固着され、短管２０内に短管２２が、突片２３を切除部２１内に位置するよう組み合わされる。
従って、この突片と切除部の関係から、アームは所定範囲内にて回動可能であり、このアームを支柱前方もしくは後方に選択的に位置させることができる。また、アームの前部にも同様機構が内蔵されており、アーム先端部分の回動が可能である。【０００８】  ３０は脚板フレームで、座板フレームの前部側方に４本軸支される垂下管体３１の下端を３本の管体にて軸支してその主要部が形成される。後方の垂下管体下端にはローラー３２が軸支され、４本の垂下管体の下端両側に軸支される管体３３は前方へ伸びて平板３４が軸支され、この平板に脚板３５が取り付けられ、垂下する前方の２本の管体に側板３６が取り付けられる。従って、側板および脚板はその角度を変えながら前方へと移動することが可能である。
３７は脚部前方下面両側に固着される有孔突片による回動体支持体、３８は該支持体に軸支されるコ字形部材による回動体である。この回動体の両側は脚板フレームおよび座板フレームより外方に張り出している。また、この回動体は前部と後部の垂下管体間に位置している。３９は脚部下面に下方突設される回動体ストッパーである。
以上の構成から、座板の昇降と角度の変更ならびに脚板と側板の位置および角度変更が可能である。【０００９】  本発明を使用するには、まず図１のごとく座板を位置させる。このとき、前方の垂下管体は回動体に接して位置し、座板に対してやや前方斜方に位置している。
次ぎに、アームを回動させて後方に位置させるかあるいは開いて使用者を座板に着座させ、アームを初期位置に復帰させる。そして浴槽内に本品を位置させて昇降ハンドルを操作することにより、チェーンは垂下して同時にスライダーおよび座板と背板そして脚板および側板が下降する。
所定位置まで下降すると垂下管体下方のローラーが浴槽下面に接地し、ローラーと垂下管体は前方へと移動を開始する。この移動にて垂下管体はリンク方式のため互いに平行に移動し、やがて回動体に接触してこの回動体を回動させ、回動体は回動体ストッパーに当たって静止する。座板がさらに下降すると垂下管体は回動体から離れてこの回動体は自重にて初期位置へと復帰し、やがて座板フレームがこの回動体に接触するが、さらに下降することにより座板フレームはスライダーとの軸支部分を回動中心として傾斜移動を開始し、図５に示すように、座板は最大傾斜状態となり最下位置へと達する。
使用時においては、以上の下降位置から選択して使用者に最適なる状態での入浴姿勢をとることができる。使用後は既述の逆の手順にて初期状態へと復帰させることができる。
なお、背板は上部背板と下部背板が蝶番にて接続した構成であり、座板傾斜時に発生する双方の背板の角度変化に対応することができる。また、管体３３には平板３４が軸支され、この平板に脚板が取り付けられているので、必要に応じてこの脚板を立ち上げて、着座者の足を浴槽に接地させることができる。【００１０】  本発明の概要については既述したが、本発明は手動にて座板をその水平を保ちつつ昇降させ、かつ必要に応じて傾斜させるところにその特長がある。
従来は既述のように、電力や水圧を利用するものであるため、装置が複雑で大がかりなものとなり、かつランニングコスト面でも有利とはいえないものであった。しかるに本発明は、チェーン昇降による手動方式のため、上記の種々の問題をクリヤーでき、その操作も容易なる入浴補助装置を得ることができるのである。
本発明では使用者の昇降のみならず、姿勢変化も行うことができてゆったりと安定した位置での入浴が可能であり、回動可能なアームを用いたので安全面にも配慮した入浴を行うことができる。脚部にはキャスターを用いており、介助者が手押し部を押して容易に移動させることができ、キャスターのストッパーにて不意の移動が防止される。
浴槽近傍までスロープが形成されていると、そのまま浴槽内に入れることができて便利である。なお、以上の例は本発明の一例であり、近似の他の構成としてもよい。
以上のごとく、本発明により操作面、コスト面、安全面において有用なる入浴補助装置を得ることができる。
【図面の簡単な説明】
【００１１】
【図１】  本発明の斜視図
【図２】  本発明の正面図（アーム閉時）
【図３】  本発明の正面図（アーム開時）
【図４】  本発明の昇降機能説明図（座板上方時・一部略）
【図５】  本発明の昇降機能説明図（座板下方時・一部略）
【図６】  本発明の要部構造説明図（正面視・一部略）
【図７】  本発明の要部構造説明図（背面視・一部略）
【図８】  本発明のスライダー機構説明図（右側面視）
【図９】  本発明のスライダー機構説明図（平面視）
【図１０】  本発明のスライダー機構説明図（正面視）
【図１１】  本発明の座板フレーム取り付け方式説明図
【図１２】  本発明のアーム回動機構説明図
【図１３】  本発明のアーム回動機構説明図
【図１４】  本発明の使用説明図
【符号の説明】
【００１２】１    脚部
２    キャスター
３    支柱
４    スライダー
５    中空角体
６    ローラー
７    ガイドピン
８    座板フレームストッパー
９    突片
１０  カバー
１１  チェーン
１２  昇降ハンドル
１３  手押し部
１４  座板フレーム
１５  突片
１６  座板
１７  上部背板
１８  下部背板
１９  アーム
２０  短管
２１  切除部
２２  短管
２３  突片
３０  脚板フレーム
３１  垂下管体
３２  ローラー
３３  管体
３４  平板
３５  脚板
３６  側板
３７  回動体支持体
３８  回動体
３９  回動体ストッパー
【図１】
2007319653.tif 000003
【図２】
2007319653.tif 000004
【図３】
2007319653.tif 000005
【図４】
2007319653.tif 000006
【図５】
2007319653.tif 000007
【図６】
2007319653.tif 000008
【図７】
2007319653.tif 000009
【図８】
2007319653.tif 000010
【図９】
2007319653.tif 000011
【図１０】
2007319653.tif 000012
【図１１】
2007319653.tif 000013
【図１２】
2007319653.tif 000014
【図１３】
2007319653.tif 000015
【図１４】
2007319653.tif 000016